(57)【特許請求の範囲】
【請求項１】
フィルタ（ａ１）（ａ１）２枚間に１枚または２枚のエキスパンドメタル（ａ２）を介在した３層または４層のサンドイッチ構造とし、前記フィルタ（ａ１）（ａ１）は、金属薄板に横長状のスリット（１）を数ミリピッチで縦方向に複数個並設し、この複数個併設されたスリット（１）の列（２）を１単位として数列設けると共に、前記スリット（１）相互で区画される細長な板片（３）を一方向に屈折傾斜させて細長矩形な通気口（４）を多数形成した構造とし、前記エキスパンドメタル（ａ２）はその菱形状開口部Ｏの長手寸法ＬＷを１．５ｍｍ未満、短手寸法ＳＷを０．７５ｍｍ未満とする網目構成にしたものであることを特徴とするレンジフード用グリスフィルタ。
【発明の詳細な説明】
【０００１】
【発明の属する技術分野】
本発明は、レンジフードファン用のグリスフィルタに関するものである。
【０００２】
【技術背景】
台所に設置された加熱調理器具の上方に設置されるレンジフードファンには、前面開口部に油煙、廃ガス等に含まれる油脂分を捕捉するグリスフィルタが装着される。
そのグリスフィルタとして、旧来のグリスフィルタに比べて少ない通気抵抗でありながら、高い油捕捉効率が得られ、清掃性にも優れている所謂スロットフィルタが知られている（例えば、実公平２−４３４５６号参照）。
このスロットフィルタは、金属薄板に所定のピッチで多数のスリットを並設し、そのスリット列を数列形成し、それら各列におけるスリット相互で区画された舌片全体を一方向に屈折傾斜させて通気口を多数設けた構造になっている。
このスロットフィルタは、舌片の傾斜によって通気口が斜めに開口されているため、調理時に発生する油煙、熱気等の廃ガスが通気口をストレートに通過せずに蛇行して通過するため油捕集効率がパンチングメタルよりも高く、且つ金属薄板から切り起こし形成しているため、ラス網や金網等に比べて清掃性が良く、長期に亘って安定した機能を発揮することができる。
【０００３】
【発明が解決しようとする課題】
ところで、近年において、環境問題を要因として前述するスロットフィルタよりも油捕集効率が効率的で、しかも居住性を向上させるために排気時の風切り音がより小さなフィルターが要望されるようになっている。
しかし、現実問題として、その要望に答えることができないのが現状であった。
本発明は、上記従来事情に鑑みてなされたもので、その目的とする処は、従来のスロットフィルターよりも油捕集効率が高効率で、排気時の騒音も低減するレンジフードファン用グリスフィルタを提供することにある。
【０００４】
本発明者等は油捕集効率の向上及び排気時の騒音の低減を目的として２層式のスロットフィルタは勿論のこと、２層のスロットフィルタ間に有効と推測される各種フィルタ材を介在する等して鋭意研究を行った処、スロットフィルタと、エキスパンドメタルとを併用し、且つそのエキスパンドメタルの菱形状開口部の長手寸法、短手寸法をある寸法未満にすると油捕集効率を向上させ、しかも排気時の風切り音を低減できることを知見し、本発明に至った。即ち、本発明は、フィルタ（ａ１）（ａ１）２枚間に１枚または２枚のエキスパンドメタル（ａ２）を介在した３層または４層のサンドイッチ構造とし、前記フィルタ（ａ１）（ａ１）は、金属薄板に横長状のスリット（１）を数ミリピッチで縦方向に複数個並設し、この複数個併設されたスリット（１）の列（２）を１単位として数列設けると共に、前記スリット（１）相互で区画される細長な板片（３）を一方向に屈折傾斜させて細長矩形な通気口（４）を多数形成した構造とし、前記エキスパンドメタル（ａ２）はその菱形状開口部Ｏの長手寸法ＬＷを１．５ｍｍ未満、短手寸法ＳＷを０．７５ｍｍ未満とする網目構成にしたものであることを要旨とする。
【０００５】
【発明の実施の形態】
次に、本発明の実施の形態を図面に基づいて説明する。
図１乃至図５は本実施の形態のレンジフードファン用グリスフィルタＡを示している。
【０００６】
このレンジフードファン用グリスフィルタＡは図１に示すように２枚のフィルタａ１、ａ１間に１枚または２枚のエキスパンドメタルａ２を介在挟持した構造にしてある。
【０００７】
フィルタａ１は、所定の大きさの金属製の薄板に横幅を２０ｍｍ程度とする横長状のスリット１を２〜５ｍｍのピッチで縦方向に複数個（本実施の形態では８個）並設し、そうしたスリット列２を１単位として図１に示すように縦横に碁盤目状に設けると共に、スリット１、１相互で区画される細長な板片３を一方向に屈折傾斜させて細長矩形な通気口４を形成している（後述ではスロットフィルタと称する）（図２参照）。
【０００８】
エキスパンドメタルａ２は、図４に示するように板厚ｔを０．１ｍｍ、長手寸法ＬＷを１．５ｍｍ未満、短手寸法ＳＷを０．７５ｍｍ未満にした菱形状開口部Ｏの網目構造を有するものを、前記スロットフィルタａ１、ａ１内に介在挟持してある。
本実施の形態では長手寸法ＬＷを１．０ｍｍ、短手寸法ＳＷを０．５ｍｍとしたエキスパンドメタルａ２を１枚または２枚、スロットフィルタａ１、ａ１間に介在挟持している。
【０００９】
斯様に構成されたレンジフードファン用グリスフィルタＡは図３に示すようにフード本体100 の送風装置101 下位の仕切板102 先端と天板103 とに設けた桟104 とに亘って係脱可能に支承される。
【００１０】
図５は本発明のグリスフィルタと他のフィルタとの油捕集効率、排気時の騒音値、風量等を比較した実験結果（表）である。風量ｍ3 ／ｈ及び騒音値ｄＢ（Ａ）の測定値において、／を境にして左側が商用電源を５０ヘルツ、右側が商用電源を６０ヘルツにした場合である。
実験に使用したフィルターは、２層式のスロットフィルター（実験例（ａ））、２枚のスロットフィルター間に５ｍｍ厚のポリエステルマットを介在したもの（実験例（ｂ））、２枚のスロットフィルター間に菱形状開口部Ｏの長手寸法ＬＷ、短手寸法ＳＷが各々異なるエキスパンドメタルを介在したもの（実験例（ｃ）（ｄ）（ｅ）（ｆ）（ｇ））等多種である。
これによると、２枚のフィルタａ１、ａ１間にエキスパンドメタルａ２を挟持したエキスパンドメタル介在タイプのフィルタにおいて、エキスパンドメタルａ２の網目の大きさを実験例（ｅ）寸法にした場合に、前記実験例（ａ）、（ｂ）と同等の油捕集効率しか達成できなかった。
そして、その実験例（ｅ）の網目よりも細かな網目構造（菱形状開口部Ｏの長手寸法ＬＷを１．５ｍｍ未満、短手寸法ＳＷを０．７５ｍｍ未満）のエキスパンドメタルａ２を１層または２層介在する（実験例（ｆ）（ｇ）（下記では本発明例）と称する）と、図５に示すように油捕集効率が高効率となり、また排気時の騒音値ｄＢ（Ａ）も実験例（ｅ）は勿論のこと、実験例（ａ）（ｂ）よりも低減する値を示した。
尚、実験例（ｅ）よりも網目が粗いエキスパンドメタルａ２を介在する（実験例（ｃ）（ｄ））と、油捕集効率が低下するばかりでなく、排気時の騒音値ｄＢ（Ａ）も低減できず、好ましい結果が得られなかった。
風量値、騒音値の測定はＪＩＳ  Ｃ  ９６０３によるものである。
【００１１】
ここで、本発明例（ｆ）（ｇ）の油捕集効率が高効率になる要因は、介在されるエキスパンドメタルａ２の菱形状開口部Ｏの長手寸法ＬＷが１．５ｍｍ未満、短手寸法ＳＷが０．７５ｍｍ未満の網目構成まで小さくなると、スロットフィルタａ１、ａ１間の廃ガス通過経路に油脂分を効果的に捕捉させる捕捉部が形成されるからであろうと推測される。
そして、前記排気時の騒音（風切り音）が低減するのは、前記網目構成まで小さくなると、その網目部分が、吸引側のスロットフィルタａ１の各通気口４から進入する廃ガスの蛇行状の流れを互いに衝突させない消音部として有効に機能するからであろうと推測される。
【００１２】
【発明の効果】
本発明は以上のようにフィルタ（ａ１）（ａ１）２枚間に１枚または２枚のエキスパンドメタル（ａ２）を介在した３層または４層のサンドイッチ構造とし、前記フィルタ（ａ１）（ａ１）を、金属薄板に横長状のスリット（１）を数ミリピッチで縦方向に複数個並設し、この複数個併設されたスリット（１）の列（２）を１単位として数列設けると共に、前記スリット（１）相互で区画される細長な板片（３）を一方向に屈折傾斜させて細長矩形な通気口（４）を多数形成した構造とし、前記エキスパンドメタル（ａ２）を、その菱形状開口部Ｏの長手寸法ＬＷを１．５ｍｍ未満、短手寸法ＳＷを０．７５ｍｍ未満とする網目構成にしたから、図５に示す表で明らかなように所謂スロットフィルタをたんに使用した場合やスロットフィルタ間にポリエステルマットを介在した場合、菱形状開口部の長手寸法１．５ｍｍ以上、短手寸法０．７５ｍｍ以上のエキスパンドメタルを介在した場合の各種の実験例に比べて高い油捕集効率と共に、通過時の風切り音も小さくなるという好結果が得られた。故に、近年の厳しくなる環境問題に好適であり、しかも台所の使用感（居住性）も向上するグリスフィルタを新規に提供できた。
【図面の簡単な説明】
【図１】本実施の形態のグリスフィルタの分解斜視図。
【図２】スロットフィルタの部分拡大断面図。
【図３】使用状態を示す側面断面図。
【図４】エキスパンドメタルの網目部分の拡大図。
【図５】本実施の形態のグリスフィルタと他のフィルタとの油捕集効率、騒音値、風量等を比較した表。
【符号の説明】
ａ１：フィルタ（スロットフィルタ）；  ａ２：エキスパンドメタル；
Ｏ：菱形状開口部；  ＬＷ：長手寸法；
ＳＷ：短手寸法；  Ａ ：グリスフィルタ；
１ ：スリット；  ４ ：通気口；
２ ：スリット列；  ３ ：板片
【図１】
0004095684.tif 000002
【図２】
0004095684.tif 000003
【図３】
0004095684.tif 000004
【図４】
0004095684.tif 000005
【図５】
0004095684.tif 000006